(57)【要約】      （修正有）【課題】水平状の第１透過部材と傾斜した第２透過部材との渡り部位にて、画像読取センサの読取面が干渉せずに、画像読取センサを各透過部材の下面に近接させつつ、その下面に沿って円滑に移動させる。【解決手段】搬送上流側が搬送下流側よりも低い位置にあるように傾斜された第２透過部材３２の一端部が、第１透過部材３１の一端部の上方で、両透過部材の厚さ方向に重ね配置される。キャリッジ３５が第１透過部材３１側から下り傾斜の第２透過部材３２に渡る方向に移動する場合に、第１回転コロ４４が第１透過部材３１の下面と同一平面状の第２透過部材３２の下面及びそれに続く第１案内傾斜面４８ａを通過している間は、第２回転コロ４５が第１透過部材３１の下面と同じ高さの第２案内部材の下面に摺接しているので、両回転コロ４４、４５の間に位置する画像読取センサ３７の上面が、下位置の第１透過部材３１の下面側角部３１ａに衝突しない。【選択図】図７
2010239490.tif 000002
【特許請求の範囲】
【請求項１】
読み取る原稿を所定の搬送方向に自動的に搬送する自動原稿搬送装置と、前記搬送される原稿の画像を読み取る搬送読取部と、
原稿押えカバー体により固定される原稿の画像を読み取る固定読取部と、
前記固定読取部における第１透過部材の下面に沿って所定の方向に移動可能であり、且つ前記搬送読取部における第２透過部材の下面に停止可能であり、さらに前記両透過部材の下面に近接させるように付勢された画像読取センサが備えられた原稿読取手段と、を備えた画像読取装置であって、
前記第２透過部材はその平面が水平面に対して前記原稿の搬送方向の上流側若しくは下流側のいずれか一方が他方よりも高くなるように傾斜させて配置され、
前記第１透過部材の一端部と前記第２透過部材の一端部との前記移動方向に沿って渡る部位には、前記画像読取手段の移動案内手段が設けられていることを特徴とする画像読取装置。
【請求項２】
前記画像読取手段は、前記第１透過部材及び前記第２透過部材の下面に近接して摺接する画像読取センサ（密着形イメージセンサ）と、前記移動方向と直交するとともに前記両透過部材面と平行に延びる軸線周りに回動可能に、且つ前記両透過部材面に垂直な方向に移動可能に前記画像読取センサのケースを支持するキャリッジとを備え、
前記移動案内手段は、前記ケースに設けられて前記移動方向に適宜間隔にて配置される一対の摺動部材を案内する一対の傾斜面を有する案内部材からなることを特徴とする請求項１に記載の画像読取装置。
【請求項３】
前記一対の摺動部材は前記ケースにおける前記移動方向と直交する方向の両端部に設けられており、
前記一対の案内部材は前記一対の摺動部材の配置位置に対応させて設けられていることを特徴とする請求項２に記載の画像読取装置。
【請求項４】
前記第１透過部材の一端部と前記第２透過部材の一端部とを段違い状態に重ね配置したことを特徴とする請求項１乃至３のいずれかに記載の画像読取装置。
【請求項５】
前記渡る部位には、前記搬送される原稿を前記自動原稿搬送装置における排紙部側に案内するための掬い上げ案内部材が介挿されていることを特徴とする請求項１乃至４のいずれかに記載の画像読取装置。
【発明の詳細な説明】
【技術分野】
【０００１】
本発明は、搬送される原稿の画像を読取位置で読取可能で、且つ固定（静止）された原稿の画像を読取ることができる読取手段を有する画像読取装置の構成に関するものである。
【背景技術】
【０００２】
一般的に、透明なガラス板上に静止固定された原稿の画像記録面の読み取りだけでなく、搬送される原稿の画像記録面も読み取ることができる画像読取装置においては、静止原稿を読み取るための固定読取部である面積の大きい第１透過部材（第１透明ガラス板、ＦＢ(Flat Bed)ガラスともいう）に隣接して、搬送される原稿を読取るための搬送読取部としての面積の小さい第２透過部材（第２透明ガラス板）が配置されている（特許文献１及び２参照）。
【０００３】
ところで、特許文献１及び２に示すように、搬送される原稿を読み取る場合には、原稿押えカバー体の上面一側部位に備えられた自動原稿搬送装置により、給紙トレイ上に堆積された複数の枚の原稿を１枚ずつ分離しながら第２透過部材上に搬送し、この原稿用透明板の下方に静止されている画像読取手段にて原稿の画像記録面を読み取った後、排紙トレイ部に排出するように構成されている。その場合、特許文献１及び２では、第２透過部材を、その原稿搬送方向の上流側若しくは下流側のいずれか一方が高くなるように水平面に対して傾斜させて配置することが提案されている。
【０００４】
特許文献１の構成によれば、第２透過部材の原稿搬送方向の下流側を上方になるように傾斜させることで、搬送読取部の下流側に原稿の掬い上げ角度を小さくし、原稿の画像読取品質を得ることができるという効果を奏するものである。他方、特許文献２の構成によれば、原稿の搬送読取時に、第２透過部材上に塵埃が溜まることがなく、上記塵埃を画像として読み込んでしまって黒筋や白筋と称される画像トラブルが発生することがないという効果を奏するものである。
【先行技術文献】
【特許文献】
【０００５】
【特許文献１】特開２０００−３５１４８２号公報（図１及び図２参照）
【特許文献２】特開２００３−１１０８０８号公報（図１及び図２参照）
【発明の概要】
【発明が解決しようとする課題】
【０００６】
ところで、特許文献１における画像読取手段は、第１及び第２透過部材の下方に配置されている、光源と複数のミラーとによる第１読取ユニットにて構成されている。他方、特許文献２では、第１及び第２透過部材の下方に沿って移動可能な焦点深度が大きいＣＣＤ撮像素子からなる読取ユニットである。特許文献１における第１読取ユニットでは、傾斜配置されている第２透過部材の上面を通過する原稿に焦点が合うように、焦点深度を調節する必要があり、第１読取ユニットの構成が複雑且つ大型化してしまう問題があった。
【０００７】
他方、特許文献２における第２読取ユニットを採用すると、固定読取部での水平状に配置されている第１透過部材に対する第２読取ユニットの光路長さよりも、搬送原稿読取部となる傾斜配置された第２透過部材に対する第２読取ユニットの光路長さが長くなるため、第２透過部材の板厚さを第１透過部材の板厚さを、その傾斜角度に比例する所定の関係式に従って薄く設定しなければならない。従って、上記傾斜角度を変更すると、両透過部材の板厚さも変更しなければならず、設計上の大きい制約となる等手間が掛かる。また、複数種類の厚さの透過部材を準備しなければならないから製造コストが高くなるという問題もあった。
【０００８】
本発明は、上記の課題を解消するため、構造が簡単で且つコンパクトに形成できる画像読取センサを採用しながら、水平状態の第１透過部材と傾斜配設された第２透過部材との渡り部位にて、画像読取センサの読取面が干渉せずに、画像読取センサを第１及び第２透過部材の下面に近接させつつ、その下面に沿って円滑に移動させることができる画像読取装置を提供することを目的とするものである。
【課題を解決するための手段】
【０００９】
上記目的を達成するために、請求項１に記載の発明は、読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部と、前記固定読取部における第１透過部材の下面に沿って所定の方向に移動可能であり、且つ前記搬送読取部における第２透過部材の下面に停止可能であり、さらに前記両透過部材の下面に近接させるように付勢された画像読取センサが備えられた原稿読取手段と、を備えた画像読取装置であって、前記第２透過部材はその平面が水平面に対して前記原稿の搬送方向の上流側若しくは下流側のいずれか一方が他方よりも高くなるように傾斜させて配置され、前記第１透過部材の一端部と前記第２透過部材の一端部との前記移動方向に沿って渡る部位には、前記画像読取手段の移動案内手段が設けられているものである。
【００１０】
請求項２に記載の発明は、請求項１に記載の画像読取装置において、前記画像読取手段は、前記第１透過部材及び前記第２透過部材の下面に近接して摺接する画像読取センサ（密着形イメージセンサ）と、前記移動方向と直交するとともに前記両透過部材面と平行に延びる軸線周りに回動可能に、且つ前記両透過部材面に垂直な方向に移動可能に前記画像読取センサのケースを支持するキャリッジとを備え、前記移動案内手段は、前記ケースに設けられて前記移動方向に適宜間隔にて配置される一対の摺動部材を案内する一対の傾斜面を有する案内部材からなるものである。
【００１１】
請求項３に記載の発明は、請求項２に記載の画像読取装置において、前記一対の摺動部材は前記ケースにおける前記移動方向と直交する方向の両端部に設けられており、前記一対の案内部材は前記一対の摺動部材の配置位置に対応させて設けられているものである。      
【００１２】
請求項４に記載の発明は、請求項１乃至３のいずれかに記載の画像読取装置において、前記第１透過部材の一端部と前記第２透過部材の一端部とを段違い状態に重ね配置したものである。
【００１３】
請求項５に記載の発明は、請求項１乃至４のいずれかに記載の画像読取装置において、前記渡る部位には、前記搬送される原稿を前記自動原稿搬送装置における排紙部側に案内するための掬い上げ案内部材が介挿されているものである。
【発明の効果】
【００１４】
請求項１に記載の発明によれば、読み取る原稿を所定の搬送方向に自動的に搬送する自動原稿搬送装置と、前記搬送される原稿の画像を読み取る搬送読取部と、原稿押えカバー体により固定される原稿の画像を読み取る固定読取部と、前記固定読取部における第１透過部材の下面に沿って所定の方向に移動可能であり、且つ前記搬送読取部における第２透過部材の下面に停止可能であり、さらに前記両透過部材の下面に近接させるように付勢された画像読取センサが備えられた原稿読取手段とを備えた画像読取装置であって、前記第２透過部材はその平面が水平面に対して前記原稿の搬送方向の上流側若しくは下流側のいずれか一方が他方よりも高くなるように傾斜させて配置されているので、第２透過部材が水平配置されている場合よりも、搬送読取部における読取位置を第１透過部材の一端部側（搬送方向下流側）に近づけることが可能となる。その結果、画像読取装置の搬送方向寸法を短くすることができて、コンパクトに形成できるという効果を奏するものである。
【００１５】
しかも、請求項１に記載の発明によれば、前記第１透過部材の一端部と前記第２透過部材の一端部との前記移動方向に沿って渡る部位には、前記画像読取手段の移動案内手段が設けられているものであるから、画像読取手段が移動案内手段に沿って渡り部位を渡り移動可能となる。その結果、第１透過部材及び第２透過部材の下面に近接させた状態で画像読取手段を移動させても、前記渡り部における第１透過部材または第２透過部材の下側角部に画像読取手段の上面（画像読取面）が衝突（干渉）しないので、画像読取手段の画像読取部が傷付かず、読取品質を劣化させることがないという顕著な効果を奏するものである。
【００１６】
請求項２に記載の発明によれば、前記画像読取手段は、前記第１透過部材及び前記第２透過部材の下面に近接して摺接する画像読取センサ（密着形イメージセンサ）と、前記移動方向と直交するとともに前記両透過部材面と平行に延びる軸線周りに回動可能に、且つ前記両透過部材面に垂直な方向に移動可能に前記画像読取センサのケースを支持するキャリッジとを備え、前記移動案内手段は、前記ケースに設けられて前記移動方向に適宜間隔にて配置される一対の摺動部材を案内する一対の傾斜面を有する案内部材からなるものである。
【００１７】
従って、画像読取センサ（密着形イメージセンサ）のために焦点深度を調節する機構が不要となり、構成が極めて簡単となる。そして、一方の透過部材の一端部を越えて先行して一方の摺動部材が他方の透過部材の下面及び案内傾斜面を通過している間は、他方の摺動部材が一方の透過部材の下面に摺接している状態であるので、両摺動部材の間に配置されている画像読取手段の上面が下位置の第１透過部材における一端の下面側角部に衝突しないようにして画像読取手段が通過できる。その結果、画像読取手段の画像読取部が傷付かず、読取品質を劣化させることがないという顕著な効果を奏するものである。
【００１８】
請求項３に記載の発明によれば、前記一対の摺動部材は前記ケースにおける前記移動方向と直交する方向の両端部に設けられており、前記一対の案内部材は前記一対の摺動部材の配置位置に対応させて設けられているものである。
【００１９】
従って、案内部材の存在によって画像読取手段の画像読取範囲が狭められることがない。換言すれば、前記ケースにおけるその移動方向と直交する方向の両端部に案内部材を有していても、前記ケースの移動に邪魔にならないという顕著な効果を奏するものである。
【００２０】
請求項４に記載の発明によれば、前記第１透過部材の一端部と前記第２透過部材の一端部とを段違い状態に重ね配置したものである。
【００２１】
従って、両透過部材の一端部が隙間無く且つ一端部同士が重なって配置される結果、両透過部材の一端部の撓み変形も少なくなり、読取品質が低下しない。また、これら両透過部材の下面側に、紙粉やゴミが下方に落ちないから、画像読取手段の読取面を汚すことがなく、読取品質を劣化させないという顕著な効果を奏するものである。
【００２２】
請求項５に記載の発明によれば、前記渡る部位には、前記搬送される原稿を前記自動原稿搬送装置における排紙部側に案内するための掬い上げ案内部材が介挿されているものである。
【００２３】
従って、掬い上げ案内部材の介在により両透過部材の一端部の撓み変形が一層少なくなり、読取品質が低下しないという効果を奏するものである。また、第２透過部材の搬送方向下流側（第１透過部材に近い側）が高い位置となるように、傾斜配置した場合には、排紙部側への搬送経路である掬い上げ案内部材の高さを緩やかにできる結果、掬い上げ案内部材の高さ寸法を短くできて、自動原稿搬送装置付の画像読取装置の全体の高さをコンパクトに形成できるという効果を奏することができる。
【００２４】
また、排紙側に原稿を導くための掬い上げ案内部材における上向き傾斜面の傾斜角度を緩傾斜にすることができる。その結果、読取部を通過する原稿を上側に引き上げる作用が少なくなり、結果として、原稿が第２透過部材の上面から浮き上がることがなく、読取品質が安定するという効果を奏する。
【図面の簡単な説明】
【００２５】
【図１】本発明の自動原稿搬送装置及び画像読取装置を備えた多機能装置の斜視図である。
【図２】搬送読取部及び固定読取部を示す概略平面図である。
【図３】自動原稿搬送装置及び画像読取装置の第１実施例の側断面図である。
【図４】第１実施例の要部拡大断面図である。
【図５】ケースの一方における一対の回転コロ並びに第１案内部材と第２案内部材の配置関係を示す要部拡大斜視図である。
【図６】第２実施例の要部拡大断面図である。
【図７】第３実施例の要部拡大断面図であり、（Ａ）は画像読取センサが第１透過部材３１側に位置する状態の側面図、（Ｂ）及び（Ｃ）は第１透過部材３１と第２透過部材３２と渡り部に画像読取センサが位置する状態の側面図、（Ｄ）は画像読取センサが第２透過部材３２側に渡り切った状態の側面図である。
【図８】第４実施例の第１透過部材と第２透過部材の傾斜重ね部並びに第１傾斜案内面と第２傾斜案内面の側面を示す図である。
【図９】一対の回転コロ並びに第１案内部材と第２案内部材の配置関係を示す概略断面図である。
【図１０】（Ａ）は案内部材の他の実施例を示す側断面図、（Ｂ）は図１０（Ａ）のXB−XB線矢視断面図である。
【発明を実施するための形態】
【００２６】
以下、本発明を実施するための形態について図面に基づいて説明する。
【００２７】
本発明の実施形態は、ファクシミリ機能、スキャナ機能、複写機能及びプリンタ機能を備えた多機能装置１における画像読取装置２に適用したものである。
【００２８】
［多機能装置１の基本構造］
図１及び図２に示すように、多機能装置１のハウジング４の上面には、その前寄り部位に、ファクシミリ機能、スキャナ機能、複写機能を実行するためのテンキーや各種作業を指令するためのボタンキー、指令内容表示やエラー表示等を行う液晶パネルなどを備えた操作パネル部５が配置されている。
【００２９】
図１に示すように、多機能装置１におけるハウジング４の前側（図１において手前側）には開口部４ａが開口されており、その開口部４ａにはシートとしての用紙（以下、用紙という）を堆積状態で収容する上面開放状の上下２段の給紙カセット７ａ、７ｂがＸ軸線方向に沿ってそれぞれ挿抜可能に装着されている。その上段の給紙カセット７ａの上面に排紙トレイ７ｃが装着されている。そして、各給紙カセット７ａ、７ｂから選択的に給送された用紙は、ハウジング４内に設けられたインクジェット式などの画像記録部（不図示）に送られて画像記録した後、その用紙が排紙トレイ７ｃに排出される。
【００３０】
［画像読取装置及び自動原稿搬送装置］
操作パネル部５の後方には、スキャナ機能を実行するための画像読取装置２とそれに搭載される自動原稿搬送装置３とが配置されている。図３及び図４に示すように、画像読取装置２における本体ケース２ａの上面側には、後に詳述するように、固定読取部における原稿を載置するための第１透過部材３１と、搬送読取部における原稿が摺接するための第２透過部材３２とが掬い上げ案内部材３３を介して隣接して配置されている。
【００３１】
画像読取装置２における本体ケース２ａはその一側端部（実施形態では、パネルカバー５から離間された後方の一側）でハウジング４に水平に設けられた枢軸（不図示）を中心に上下回動可能に装着されている。
【００３２】
画像読取装置２に対して原稿を搬送する自動原稿搬送装置３（ＡＤＦ( Auto Document Feeder) ともいう）は、本体ケース２ａの上方の略全体を覆う上カバー体１０と、上カバー体１０の上面に形成される排紙トレイ部１３と、この排紙トレイ部１３より上側に配置された給紙トレイ部１４とを備えている。給紙トレイ部１４にはカバー体１４ａが折り畳み可能に設けられている。なお、図１では、カバー体１４ａが給紙トレイ部１４上に折り畳まれた状態を示す。サイズの大きい原稿を給紙トレイ部１４に載置するときには、広げたカバー体１４ａの裏面側に原稿の後部が載置されることになる。上カバー体１０の下面には、押圧板１０ａが取付けられている（図１及び図３参照）。この押圧板１０ａにて第１透過部材３１上に画像記録面を当接させて載置する固定原稿を押圧するものである。従って、この第１透過部材３１が固定読取部となる。
【００３３】
合成樹脂製の上カバー体１０はその後端（操作パネル部５と反対側）の一対のヒンジ手段１１ａ、１１ｂ（図２参照）を介して本体ケース２ａに対して上下方向に移動可能且つ開閉回動回動可能に装着されている。一対のヒンジ手段１１ａ、１１ｂが上下方向に移動可能に構成されている理由は、第１透過部材３１に載置する原稿が書籍等の分厚い原稿を上カバー体１０にて第１透過部材３１の表面と平行状に押えることができるようにするためである。
【００３４】
自動原稿搬送装置３は、給紙トレイ部１４の一側部（Ｙ方向の一端部）に位置する読取位置Ｒｅまで原稿を搬送する第１の搬送方向と、読取位置Ｒｅから排紙トレイ部１３まで原稿を搬送する第２の搬送方向とからなる略Ｕターン形状の反転搬送路体１８が備えられている。
【００３５】
給紙トレイ部１４には、一対の原稿ガイド１４ｂが設けられている。そして、周知の連動機構１４ｃより、一方の原稿ガイド１４ｂを手で動かすと、他方の原稿ガイド１４ｂが同時にＸ方向に移動して原稿のＸ方向の幅寸法に応じて広狭調節可能となるように構成されている。
【００３６】
自動原稿搬送装置３は、給紙トレイ部１４に堆積状態にて載置された複数枚の原稿を吸い込む吸込み部と吸込み部から１枚の原稿を分離して第１の搬送方向（読取位置Ｒｅに近づく方向）に搬送するための分離部と、搬送されてきた原稿を読取位置Ｒｅから第２の搬送方向に反転して排紙トレイ部１３に搬送するための反転搬送路体１８とを備えている。吸込み部は吸入ローラ１５対であり、その搬送下流側に、分離部としての分離ローラ１６と分離パッド１７とが配置されている。これらの部品は、図３に示すように、自動原稿搬送装置３の左端部の上側を覆う蓋カバー体１９の下方に配置されている。
【００３７】
分離部の下流側であって反転搬送路体１８の上端部には、第１駆動ローラ１９と第１ピンチローラ２０からなる送り込みローラ部が配置されている。読取位置Ｒｅより上流側で反転搬送路体１８の下端部には、第２駆動ローラ２１が配置されている。さらに、読取位置Ｒｅより下流側で上向き傾斜の排出路体２２の上端（下流側端部）には、第３駆動ローラ２３と第３ピンチローラ２４よりなる排出ローラ部が配置されている。１つのＡＤＦモータ（不図示）からの回転動力は、上記吸入ローラ１５、分離ローラ１６、第１〜第３駆動ローラ２１〜２３に、不図示のギヤ機構を介して伝達される。
【００３８】
［画像読取手段の構成］
原稿の画像記録面を読取るためのライン形の原稿読取手段８は、図１及び図２のＹ軸方向に沿って延びる直線状のガイド部材１３に載置されて往復移動可能であり、原稿読取手段８は図１のＸ軸方向に直線的に長く形成されている。
【００３９】
図２、図３に示すように、固定読取部としての第１透過部材３１の左端部には、当該第１透過部材３１の上面に接着されたＸ軸方向に長い掬い上げ案内部材３３を挟んで左側の領域が搬送原稿読取部としての第２透過部材３２となるように形成されている。実施例では、第１透過部材３１及び第２透過部材３２は、透明で上下両面が平滑で平行面を有するガラス板にて構成されているが、合成樹脂製の透明材料であっても良い。
【００４０】
反転搬送路体１８の第１の搬送方向に搬送される原稿の画像読取面は下向きになる。第２透過部材３２の上面に原稿が摺接し、第２透過部材３２の下面に静止させた原稿読取手段８で原稿の画像を読取るための搬送原稿の読取位置Ｒｅ（図４参照）となる。なお、第２透過部材３２の上面に原稿を摺接するための原稿押え３４がばね３４ａにて下向き付勢されて配置されている（図３、図４参照）。
【００４１】
［第２透過部材３２の傾斜配置の実施例］
本発明では、水平状に配置された第１透過部材３１に対して、第２透過部材３２をその平面が原稿の搬送方向の上流側若しくは下流側のいずれか一方が高くなるように傾斜させて配置されているものである。
【００４２】
図３及び図４に示す第１実施例では、水平配置された第１透過部材３１に対して、第２透過部材３２は、その搬送方向の上流側が第１透過部材３１に接近した部位（下流側）よりも高くなるように、傾斜角度θ１の角度で傾斜配設されている。
【００４３】
このように、第２透過部材３２における原稿の搬送方向の上流側を高い位置にすることにより、反転搬送路体１８の下端よりも原稿搬送上流側の上下方向の隙間を有効利用することができる。また、反転搬送路体１８の下端よりも原稿搬送上流側の下向き傾斜の搬送路部分と平行状に第２透過部材３２を配置することで、第２透過部材３２が水平配置されている場合よりも、読取位置Ｒｅを第１透過部材３１の一端部側（搬送方向下流側）に数ミリ程度近づけることが可能となる。その結果、画像読取装置２のＹ軸方向寸法を短くすることができて、コンパクトに形成できるという効果を奏するものである。
【００４４】
原稿読取手段８は、実施例では、丸軸状のガイド部材１３に載置されて姿勢が一定に保持されたキャリッジ３５と、この上向き開放状のキャリッジ３５の内部に配置されたケース３６と、ケース３６内に固定された画像読取センサ３７とが備えられている。実施例では、画像読取センサ３７は、焦点深度が小さい密着形イメージセンサ：ＣＩＳ（Contact Image Sensor）である。ケース３６はキャリッジ３５に対して上下動可能且つ回動可能に配置されている。より詳しくは、ケース３６の両端にて長手方向（Ｘ軸方向）に延びる一対の支軸３８がキャリッジ３５の両端に形成された案内溝３９に上下動自在且つ回動自在に嵌まっている（図５では一方のみ示す）。これにより、画像読取センサ３７とケース３６は一体として、キャリッジ３５の移動方向と直交するとともに両透過部材３１、３２の下面と平行に延びる軸線周りに回動可能に、且つ両透過部材３１、３２の下面に垂直な方向に移動可能に構成されている。
【００４５】
また、キャリッジ３５の底板とケース３６の下面との間に配置されるコイルばね４０等の付勢手段にてケース３６を上向きに付勢している。なお、キャリッジ３５の両端部が本体ケース２ａにおける第１透過部材３１及び第２透過部材３２の側端部を支持する部位の下面にてＹ軸方向に延びるガイド部材（不図示）に摺動可能に支持するように構成しても良い。
【００４６】
キャリッジ３５に連結されたタイミングベルトなどのベルト４１は、本体ケース２ａ内のうちＹ軸方向の両端部に配置された駆動プーリ４２と従動プーリ４３とに巻掛けされて、部図示の駆動モータにて回転させられる（図２参照）。
【００４７】
画像読取センサ３７が密着形イメージセンサである場合、その焦点深度が浅いため、各透過部材３１、３２の下面に画像読取センサ３７の表面を近接させて位置保持する必要がある。そのため、ケース３６におけるＸ軸方向の両端部上面に、摺動部材の一例としてのそれぞれ一対の第１回転コロ４４及び第２回転コロ４５が配置されている（図５では片方の端部で示す）。第１回転コロ４４と第２回転コロ４５とは、Ｘ軸方向及びＹ軸方向の両方向に適宜隔てて配置されている（図４、図５参照）。
【００４８】
第１透過部材３１と第２透過部材３２との隣接部の下面をキャリッジ３５が渡って水平状に移動する場合に、上向き付勢されている画像読取センサ３７の上面が、下位置の透過部材の一端の下面側角部に衝突しないようにするため、移動案内手段４６が設けられている。但し、図３及び図４では不図示である。
【００４９】
図５は、移動案内手段４６の第１実施例を示す。即ち、第１透過部材３１の一端部と第２透過部材３２の一端部との隣接部をキャリッジ３５が移動する方向に沿って渡る部位には、上記一対の回転コロ４４、４５を案内するための一対の案内傾斜面４８ａ、４９ａを有する案内部材４８、４９が備えられている。その場合、第１回転コロ４４と第２回転コロ４５との対は、画像読取センサ３７のＸ軸方向の両端外側部位のケース３６に設けられているので、対の案内部材４８、４９も、両回転コロ４４、４５と対応する個所に設けられ、画像読取センサ３７の表面（上面）と対応する個所には設けられていない。
【００５０】
第１回転コロ４４と第２回転コロ４５とは、Ｘ軸方向に距離（Ｌｘ１）だけ隔てられ、且つＹ軸方向に距離（Ｌｙ１）だけ隔てて配置されているため、第１回転コロ４４に対応する第１案内部材４８の第１案内傾斜面４８ａと第２回転コロ４５に対応する第２案内部材４９の第２案内傾斜面４９ａとは、Ｘ軸方向及びＹ軸方向の両方向に適宜隔てて配置されている（図５参照）。
【００５１】
さらに、例えば、キャリッジ３５が水平な第１透過部材３１側から上り傾斜の第２透過部材３２に渡る方向に移動する場合に、側面投影視において、第１案内部材４８の下面は、第１透過部材３１の一端の下面側角部３１ａに対応する個所を越えた適宜下流側までは、当該第１透過部材３１の下面と同一平面状若しくは、下向き凸湾曲面に形成されている。それに続いて第２透過部材３２の下面に接するように第１案内傾斜面４８ａが形成される。他方、第２案内部材４９では、同じく側面投影視において、第１透過部材３１の一端の下面側角部３１ａに対応する個所若しくはその下面側角部３１ａの個所を越えて直近の下流側の位置から、第２案内傾斜面４９ａが第２透過部材３２の下面に接するように直線的に形成されているのである。なお、第１実施例では、第１案内傾斜面４８ａと第２案内傾斜面４９ａとは、直線状に形成されている（図５参照）。
【００５２】
このように構成すると、第１透過部材３１の一端部を越えて先行して第１回転コロ４４が第１案内傾斜面４８ａを通過している間は、第２回転コロ４５が第１透過部材３１の下面と同じ高さの第２案内部材４９の下面に摺接している状態であるので、両回転コロ４４、４５の間に配置されている画像読取センサ３７の上面が、第１透過部材３１における一端の下面側角部３１ａに衝突しないようにしてキャリッジ３５が通過できるのである。第２透過部材３２の下面側に位置するキャリッジ３５を第１透過部材３１の下面側に向かって移動させる場合も同様にして画像読取センサ３７の上面は、水平状の第１透過部材３１の一端の下面側角部３１ａに衝突しないのである。その結果、画像読取センサ３７の上面である読取部が傷付かず、読取品質が劣化しないという顕著な効果を奏するものである。
【００５３】
そして、両回転コロ４４、４５が共に第２透過部材３２の下面に摺接するまでキャリッジ３５が移動すると、画像読取センサ３７の上面が第２透過部材３２の下面に近接し、且つ平行状となる。
【００５４】
図６に示す第２実施例では、水平配置された第１透過部材３１に対して、第２透過部材３２がその搬送方向の上流側が、第１透過部材３１に接近した部位（下流側）よりも高くなるように傾斜配設され、且つ第２透過部材３２の下端部が第１透過部材３１の一端部の上側にて、原稿搬送方向に適宜寸法Ｈ１だけ重なるように配置されている。その場合、第１透過部材３１に対して掬い上げ案内部材３３を挟んで（介挿させて）第２透過部材３２が配置されているので、両透過部材３１、３２の厚さ方向に段違い状態で重ねられることになる。
【００５５】
上記重なり部の寸法Ｈ１は任意である。両透過部材３１、３２の一端部が隙間無く且つ一端部同士が重なって配置される結果、両透過部材３１、３２の一端部の撓み変形も少なくなり、且つこれら両透過部材３１、３２の下面側に、紙粉やゴミが下方に落ちないから、画像読取手段８の読取面を汚すことがなく、読取品質を劣化させない。なお、掬い上げ案内部材３３に対する各透過部材３１、３２の当接部は接着剤にて固定することにより、両透過部材３１、３２の位置保持及び強度が一層強化されるので好ましい。
【００５６】
図６に示す第２実施例では、第１案内部材４８の下面の第１案内傾斜面４８ａは、その始端部が、側面投影視において、第１透過部材３１の一端の下面側角部３１ａに対応する個所よりもキャリッジ３５の移動方向の上流側から始まり、第１透過部材３１における一端の下面側角部３１ａを越えた適宜下流側までは、同じく、第１透過部材３１の下面よりも下方に凸湾曲状に形成される。その後続いて、側面投影視において、第２透過部材３２の下面に接するように第１案内傾斜面４８ａが形成されている（図６の二点鎖線参照）。他方、第２案内部材４９では、第１透過部材３１の一端の下面側角部３１ａの個所若しくはその下面側角部３１ａに対応する個所を越えて直近の下流側の位置から、第２案内傾斜面４９ａが第２透過部材３２の下面に接するように直線的に形成されているのである。
【００５７】
この第２実施例でも、第１透過部材３１と第２透過部材３２との重ね部の下面を渡ってキャリッジ３５がＹ軸方向に沿って水平に往復移動する場合にも、上向き付勢されている画像読取センサ３７の上面が、下位置の第１透過部材３１における一端の下面側角部３１ａに衝突しないのである。
【００５８】
図７（Ａ）〜図７（Ｄ）に示す第３実施例では、水平配置された第１透過部材３１に対して、第２透過部材３２がその搬送方向の上流側が、第１透過部材３１に接近した部位（下流側）よりも低くなるように傾斜配設されている。そして、第１透過部材３１に対して掬い上げ案内部材３３を挟んで（介挿させて）第２透過部材３２が配置されている。
【００５９】
この第３実施例では、第２透過部材３２を通過して下流側に搬送される原稿を自動原稿搬送装置３における排紙部側に案内するために、掬い上げ案内部材３３は、第２透過部材３２の下流側端部の当接部から上向き傾斜面を備えているので、第２透過部材３２の下流側端部が高い位置にあるよう傾斜配設されていると、掬い上げ案内部材３３自体の高さ寸法を小さくすることができる。
【００６０】
この実施例における案内部材４６としての第１案内部材４８の下面である第１案内傾斜面４８ａは、側面投影視において、第１透過部材３１の一端の下面側角部３１ａに対応する個所を越えて第２透過部材３２の下面に到達するまで、第１透過部材３１の下面と同一平面状に形成されている。他方、第２案内部材４９では、同じく、第１透過部材３１の一端の下面側角部３１ａに対応する個所若しくはその下面側角部３１ａに対応する個所を越えて直近の下流側の位置から、側面投影視において、第２案内傾斜面４９ａが第２透過部材３２の下面に接するように直線的に形成されているのである。なお、第３実施例では、第１案内傾斜面４８ａと第２案内傾斜面４９ａとは、直線状に形成されている（図７（Ａ）参照）。
【００６１】
このように構成すると、例えば、キャリッジ３５が水平な第１透過部材３１側から下り傾斜の第２透過部材３２に渡る方向に移動する場合に、第１透過部材３１の一端部を越えて先行して第１回転コロ４４が第１透過部材３１の下面と同一平面状の第２透過部材３２の下面及びそれに続く第１案内傾斜面４８ａを通過している間は、第２回転コロ４５が第１透過部材３１の下面と同じ高さの第２案内部材４９の下面に摺接している状態であるので、両回転コロ４４、４５の間に配置されている画像読取センサ３７の上面が、下位置の第１透過部材３１における一端の下面側角部３１ａに衝突しないようにしてキャリッジ３５が通過できるのである（図７（Ｂ）参照）。その結果、画像読取センサ３７の上面である読取部が傷付かず、読取品質が劣化しないという顕著な効果を奏するものである。
【００６２】
次いで、第１回転コロ４４が第１案内傾斜面４８ａを通過中で、且つ後行する第２回転コロ４５が第２案内部材４９の第２案内傾斜面４９ａに移ると、側面投影視において、両回転コロ４４、４５の間に位置する画像読取センサ３７の上面も、第２透過部材３２の下方にて傾斜状態となる（図７（Ｃ）参照）。
【００６３】
さらに、キャリッジ３５が進んで、両回転コロ４４、４５が共に、第２透過部材３２の下面側に位置すると、画像読取センサ３７の上面が第２透過部材３２の下面に近接し、且つ平行状となるから（図７（Ｄ）参照）、第２透過部材３２の上面を通過する原稿の画像を正確に読取ることができる。
【００６４】
第２透過部材３２の下面側に位置するキャリッジ３５を第１透過部材３１の下面側に向かって水平状に移動させる場合も、上記の逆の順序で、画像読取センサ３７の姿勢が変動するので、画像読取センサ３７の上面は、下位置の第１透過部材３１の一端の下面側角部３１ａに衝突しないのである。その結果、画像読取センサ３７の上面である読取部が傷付かず、読取品質が劣化しないという顕著な効果を奏するものである。
【００６５】
図８に示す第４実施例では、搬送上流側が低く、搬送下流側が高い位置にあるように傾斜配設されている第２透過部材３２の一端部（下流側端部）が、第１透過部材３１の一端部の上方で、両透過部材３１、３２の厚さ方向に段違い状態で寸法Ｈ１だけ重ね配置された実施例である。その場合も、第１透過部材３１に対して掬い上げ案内部材３３を挟んで（介挿させて）第２透過部材３２を配置する。第１案内部材４８の第１案内傾斜面４８ａ及び第２案内部材４９の第２案内傾斜面４９ａの構成及びそれらによる作用は第３実施例と同じであるので、同じ符号を付して、詳細な説明は省略する。
【００６６】
搬送方向下流側が高くなるように傾斜させた第２透過部材３２を第１透過部材３１の上面よりも上方にて重ねた場合には、搬送読取部において、第１、第２透過部材３１、３２が同一平面の場合や、搬送方向下流側が低くなるように傾斜させた第２透過部材３２の場合よりも、排出路体２２に原稿を導くための掬い上げ案内部材３３における上向き傾斜面の傾斜角度を緩傾斜にすることができる。その結果、読取部Ｒｅを通過する原稿を上側に引き上げる作用が少なくなり、結果として、原稿が第２透過部材３２の上面から浮き上がることがなく、読取品質が安定するという効果を奏する。
【００６７】
なお、重ね部の有無に拘らず、搬送方向下流側が高くなるように第２透過部材３２を傾斜させた場合には、第２案内部材４９の第２案内傾斜面４９ａが第１透過部材３１の一端の下面側角部３１ａから第２透過部材３２の下面に到達するまでの距離は、搬送方向下流側が低くなるように第２透過部材３２を傾斜させた場合よりも短くなり、画像読取センサ３７の上面が第２透過部材３２の下面と平行になるまでの乗り移り（渡る）距離が短くなる。その結果、第２透過部材３２における搬送原稿の読取部Ｒｅを第１透過部材３１の一端部に接近させることが可能となるので、画像読取装置２のＹ軸方向の寸法を短くすることができるという効果を奏するものである。
【００６８】
第１案内部材４８及び第２案内部材４９は、掬い上げ案内部材３３におけるＸ軸方向の両端に隣接させて、当該掬い上げ案内部材３３と一体的に形成しても良い（図９参照）。他の実施例としては、第１案内部材４８及び第２案内部材４９を、本体ケース２ａにおける上板側であって、第１透過部材３１及び第２透過部材３２の側縁の支持個所の下面側に一体的に形成しても良いし、別体に形成された第１案内部材４８及び第２案内部材４９を、本体ケース２ａにおける上板の下面側に接着剤等にて固定しても良い。
【００６９】
一対の摺動部材は、回転コロ４４、４５に代えて、回転しない凸湾曲面を有する部位を摩擦係数の小さい部材にて形成しても良い。
【００７０】
図１０（Ａ）及び図１０（Ｂ）に示すのは、第１透過部材３１の一端部と第２透過部材３２の一端部との間を原稿読取手段８が通過するとき、画像読取センサ３７の上面が、下位置の第１透過部材３１の一端の下面側角部３１ａに衝突しないようにするための案内部材の他の実施例である。
【００７１】
この実施例では、同じ高さ位置で水平に移動するキャリッジ３５に対して画像読取センサ３７が収納されているケース３６はコイルバネ４０にて上向き付勢されている。また、支軸３８及び案内溝３９を介して画像読取センサ３７とケース３６は一体として、キャリッジ３５の移動方向と直交するとともに両透過部材３１、３２の下面と平行に延びる軸線周りに回動可能に、且つ両透過部材３１、３２の下面に垂直な方向に移動可能に構成されている。
【００７２】
ケース３６におけるＸ軸方向の両端部上面に、摺動部材の一例としてのそれぞれ丸軸状の一対の第１摺動軸５０及び第２摺動軸５１が配置されている（図５では片方の端部で示す）。第１摺動軸５０と第２摺動軸５１とは、Ｘ軸方向及びＹ軸方向の両方向に適宜隔てて配置されている（図１０（Ａ）及び図１０（Ｂ）参照）。
【００７３】
上記第１摺動軸５０の上周面に摺接して案内する案内部材としての第１案内レール５２と、第２摺動軸５１の上周面に摺接して案内する案内部材としての第２案内レール５３とは、第１透過部材３１の一端部と第２透過部材３２の一端部との渡り部に配置されるものである。そして、両案内レール５２、５３は、側面投影視において、上記渡り部において凸湾曲状に形成されているので、第１摺動軸５０が第１案内レール５２に沿って移動し、且つ第２摺動軸５１が第２案内レール５３に沿って移動するとき、コイルバネ４０にて上向き付勢されている画像読取センサ３７の上面が第１透過部材３１の一端の下面側角部３１ａに衝突しないのである。なお、この場合の一対の回転コロ４４、４５は、移動するときの画像読取センサ３７の上面と両透過部材３１、３２の下面との隙間を一定に保持する機能を有する。
【符号の説明】
【００７４】
１      多機能装置
２      画像読取装置
２ａ    本体ケース
３      自動原稿搬送装置
４      ハウジング
８      読取手段
１０    原稿押えカバー体としての上カバー体
１８    反転搬送路体
３１    第１透過部材
３２    第２透過部材
３３    掬い上げ案内部材
３４    原稿押え
３５    キャリッジ
３６    ケース
３７    画像読取センサ
３８    支軸
４０    コイルバネ
４４    摺動部材の一例としての第１回転コロ
４５    同じく第２回転コロ
４６    移動案内手段
４７    第１案内部材
４７ａ  第１案内傾斜面
４８    第２案内部材
４８ａ  第２案内傾斜面
５０    第１摺動部材
５１    第２摺動部材
５２    第１案内レール
５３    第２案内レール
【図１】
2010239490.tif 000003
【図２】
2010239490.tif 000004
【図３】
2010239490.tif 000005
【図４】
2010239490.tif 000006
【図５】
2010239490.tif 000007
【図６】
2010239490.tif 000008
【図７】
2010239490.tif 000009
【図８】
2010239490.tif 000010
【図９】
2010239490.tif 000011
【図１０】
2010239490.tif 000012